(57)【要約】【課題】着用者の幅広い体型に合わせることができる着物用下着を提供する。【解決手段】一枚布状の身頃２０を有する着物用下着１０であって、身頃２０は、着用時に着用者の身体の背面側を覆う後身頃２４と、着用時に互いに重ね合わされて着用者の身体の前面側を覆う左右の前身頃２２ａ，２２ｂと、を有し、後身頃２４と左右の前身頃２２ａ，２２ｂそれぞれとは肩山線２８でのみ連続しており、後身頃２４の両脇側と左右の前身頃２２ａ，２２ｂの脇側とは互いに未縫着であって分離していることを特徴とする。【選択図】図１
0003191443.tif 000002
【実用新案登録請求の範囲】
【請求項１】
一枚布状の身頃を有する着物用下着であって、
前記身頃は、
着用時に着用者の身体の背面側を覆う後身頃と、
着用時に互いに重ね合わされて着用者の身体の前面側を覆う左右の前身頃と、を有し、
前記後身頃と前記左右の前身頃それぞれとは肩山線でのみ連続しており、
前記後身頃の脇側と前記左右の前身頃の脇側とは互いに未縫着であって分離しており、
前記左右の前身頃それぞれの内面側の胸部対応位置に、胸部補整部材を挿入するための胸部補整材挿入部を設け、
前記後身頃の内面側の背部対応位置に、背部補整部材を挿入するための背部補整材挿入部を設け、
前記胸部補整材挿入部と前記背部補整材挿入部とは、前記前身頃の内面側から前記後身頃の内面側にかけて配置された、前記身頃よりも小さい１枚の布で形成されていることを特徴とする着物用下着。
【請求項２】
前記布のうち、前記左右の前身頃側における前記肩山線と平行な縁部が前記左右の前身頃に縫着され、前記後身頃側における前記肩山線と平行な縁部が前記後身頃に縫着されていることを特徴とする請求項１に記載の着物用下着。
【請求項３】
前記布の縁部のうち、前記肩山線と交差する箇所が前記身頃に縫着されていることを特徴とする請求項２に記載の着物用下着。
【請求項４】
前記後身頃と前記左右の前身頃との縁部で囲まれた部分には衿部が取り付けられており、
前記衿部と前記身頃との境界線と、前記肩山線と、の交点間の長さは、前記後身頃と前記衿部との境界線の中点から前記肩山線までの距離の略２倍であることを特徴とする請求項１から３の何れか１項に記載の着物用下着。
【請求項５】
前記後身頃と前記衿部との境界線の中点から前記肩山線までの距離は、
前記後身頃と前記衿部との境界線の中点から衿肩明位置までの距離である第１の長さと、前記衿肩明位置から前記肩山線までの距離である第２の長さと、を合算したものであり、
前記第１の長さと前記第２の長さとの比率は３：５であることを特徴とする請求項４に記載の着物用下着。
【請求項６】
前記身頃の縁部のうち左右の腕対応位置には、袖を連結するための袖付け部が縫着されており、
前記袖付け部から前記身頃にかけて、前記袖を係着する留め具が取り付けられており、前記袖付け部は、前記身頃側を底辺とした台形形状を有していることを特徴とする請求項１から５の何れか１項に記載の着物用下着。
【請求項７】
型紙を用いて、身頃に対応する布上における衿ぐりの位置を決定し、
前記衿ぐりの端点から延びる直線状の衿付け線の位置を決定し、次いで、
前記身頃における前身頃の内側面から後身頃の内側面にかけて、前記身頃の外周縁部からはみ出さないように、前記身頃よりも小さい１枚の布を配置し、
前記１枚の布の縁部のうち前記身頃の肩山線に平行な縁部を前記身頃に縫着し、
前記衿ぐり及び前記衿付け線に沿って衿を縫着することにより造られたことを特徴とする請求項１から６の何れか１項に記載の着物用下着。
【請求項８】
前記１枚の布の縁部のうち、前記身頃の肩山線と交差する箇所を前記身頃に縫着することにより造られたことを特徴とする請求項７に記載の着物用下着。
【請求項９】
前記型紙には、背縫位置と、肩山線位置と、衿肩明位置とが表示されていることを特徴とする請求項７又は８に記載の着物用下着。
【請求項１０】
前記１枚の布として一部を切断した矩形の布が用いられ、該矩形の布は、前記後身頃における中央部付近よりも上背部に位置するように配置されて前記背部補整材挿入部が形成されてなることを特徴とする請求項１から９の何れか１項に記載の着物用下着。
【考案の詳細な説明】
【技術分野】
【０００１】
本考案は、和服を着用するときに使用される着物用下着に関し、特に、着用者の幅広い体型に合わせて着用することができる着物用下着に関する。
【背景技術】
【０００２】
和服を着用するに当たっては、下着として肌襦袢、半襦袢、長襦袢等の着物用下着が使用される。図６は従来における半襦袢の正面図の一例である。この半襦袢においては、身頃１の左右に袖２、２が取り付けられ、見頃１の前側は左右に開閉できるように中央部で分離しており、その分離した身頃の縁には衿３が縫着される。この衿３は、着物を上側に着用したとき、その側縁部が着物の衿から若干露出するようにされる。
【０００３】
このような襦袢は、市販のものを購入しても身幅や胴周り、袖の長さが着用者の体型に合わないことが多い。体型に合わない襦袢では着付けをうまく行うことができず、なんとか着付けをしたとしても綺麗には見えず、着崩れし易いという問題点があった。自分の体型に合った襦袢を手に入れるには仕立て屋に注文するしかなく、費用と手間がかかっていた。
【０００４】
襦袢が体型に合わないという問題点を解決するために、例えば、特許文献１には、左右の前身頃に胸部補正パットを収納するポケットを設けると共に、この下部に鳩尾補正パットを収納するポケットを設け、衿の両下部にボタンを取り付け、後身頃の略中央部に逆Ｖ形状に帯状のゴムを縫い付けてギャザーを形成し、この帯状のゴムの両端を引き出して、複数個のボタン孔を形成した連結部を形成し、更に後身頃の略中央部に腰補正パットを取付ける面ファスナーを設け、衿に半衿を面ファスナーで着脱自在に取り付けることで、あらゆる体型に合わせて補正可能であることが記載されている。
また、特許文献２には、半襦袢の下側を着用者の体にフィットさせるために、襦袢の後身頃と左前身頃、及び後身頃と右前身頃との間に、脇割れを設けることが記載されている。
【先行技術文献】
【特許文献】
【０００５】
【特許文献１】実用新案登録第３１０７８４３号公報
【特許文献２】実用新案登録第３０５７８５６号公報
【考案の概要】
【考案が解決しようとする課題】
【０００６】
しかしながら、襦袢にギャザーを形成したり胸部補正パット用のポケットや脇割れを設けたとても、幅広い体型（例えば、洋服サイズの５号〜１３号まで）に合わせることが可能な襦袢とするとは困難である。
本考案は、上述した問題点を解決するためになされたものであり、着用者の幅広い体型に合わせることができる着物用下着を提供することを目的とする。
また、構造が簡単で、簡単に製造できる着物用下着を提供することを目的とする。
【課題を解決するための手段】
【０００７】
上記目的の少なくとも１つを達成するために、本考案に係る着物用下着は、一枚布状の身頃を有する着物用下着であって、前記身頃は、着用時に着用者の身体の背面側を覆う後身頃と、着用時に互いに重ね合わされて着用者の身体の前面側を覆う左右の前身頃と、を有し、前記後身頃と前記左右の前身頃それぞれとは肩山線でのみ連続しており、前記後身頃の脇側と前記左右の前身頃の脇側とは互いに未縫着であって分離していることを特徴とする。
本考案によれば、着物用下着において前記後身頃と前記左右の前身頃それぞれとは肩山線でのみ連続しており、前記後身頃の脇側と前記左右の前身頃の脇側とは互いに未縫着であって分離しているため、着用時に左右の前身頃の脇側と後身頃の両脇側との重なり具合を容易に調整でき、着用者の身幅や、胴周り・胸周り等に容易に合わせることができるため、着用者の幅広い体型に合わせることができる。
【０００８】
上記考案において、前記左の前身頃の脇側の縁部と前記後身頃の左の脇側の縁部とは連続して略一直線に伸びており、前記右の前身頃の脇側の縁部と前記後身頃の右の脇側の縁部とは連続して略一直線に延びていることを特徴とする。
本考案によれば、着物用下着の製造時において布の印付けや裁断が容易であり、また、着物用下着の収納や着用も簡便に行うことができる。
【０００９】
上記考案において、前記後身頃と前記左右の前身頃との縁部で囲まれた部分には衿部が取り付けられており、前記衿部と前記身頃との境界線と、前記肩山線と、の交点間の長さは、前記後身頃と前記衿部との境界線の中点から前記肩山線までの距離の略２倍であることを特徴とする。
本考案によれば、衿ぐりの形状をこのような曲線状の寸法としたことにより、着用時に衣紋をきれいに抜くことができるとともに、衿元の崩れを押えることができる。また、衿付け周囲の体への当たりをなくすことができる。
【００１０】
上記考案において、前記左右の前身頃それぞれの内面側の胸部対応位置に、胸部補整部材を挿入するための胸部補整材挿入部を設けたことを特徴とする。
本考案によれば、胸部補整部材挿入部に胸部補整部材を挿入することで、着用者の体型を和装向きの体型に補整することが出来る。
【００１１】
上記考案において、前記後身頃の内面側の背部対応位置に、背部補整部材を挿入するための背部補整材挿入部を設けたことを特徴とする。
本考案によれば、背部補整部材挿入部に背部補整部材を挿入することで、着用者の背部を補整し、和装向きの体型に補整することが出来る。
【００１２】
上記考案において、前記胸部補整材挿入部と前記背部補整材挿入部とは、前記前身頃の内面側から前記後身頃の内面側にかけて配置された、１枚の布で形成されていることを特徴とする。
本考案によれば、前記胸部補整材挿入部と前記背部補整材挿入部とを１枚の布で簡易に作成することができる。
【００１３】
上記考案において、前記身頃の縁部のうち左右の腕対応位置には、袖を連結するための袖付け部が縫着されており、  前記袖付け部には、前記袖を係着する留め具が取り付けられており、前記袖付け部は、前記身頃側を底辺とした台形形状を有していることを特徴とする。
上記考案によれば、形状、模様、色彩等の異なる複数の袖を用意しておくことで、好みや状況に合わせて袖を着物用下着に付け替えることができる。
【００１４】
また、本考案は、上記考案において、型紙を用いて、身頃に対応する布上における衿ぐりの位置を決定し、前記衿ぐりの端点から延びる直線状の衿付け線の位置を決定し、次いで、前記身頃における前身頃の内側面から後身頃の内側面にかけて、前記身頃の外周縁部からはみ出さないように、前記身頃よりも小さい１枚の布を配置し、前記１枚の布の縁部のうち前記身頃の肩山線に平行な縁部を前記身頃に縫着し、前記衿ぐり及び前記衿付け線に沿って衿を縫着することにより造られたことを特徴とする。
【００１５】
本考案によれば、衿ぐり用の型紙を用いて、簡単に着物用下着を製造することができる。また、本考案によれば、１枚の布で簡単に胸部及び背部の補整材挿入部を作成することができる。
【考案の効果】
【００１６】
本考案によれば、前記着物用下着の前記後身頃と前記左右の前身頃それぞれとは肩山線でのみ連続しており、前記後身頃の脇側と前記左右の前身頃の脇側とは互いに未縫着であって分離しているため、着用時に左右の前身頃の脇側と後身頃の両脇側との重なり具合を容易に調整でき、着用者の身幅や、胴周り・胸周り等に容易に合わせることができるため、着用者の幅広い体型に合わせることができる。
【図面の簡単な説明】
【００１７】
【図１】本考案の実施形態に係る着物用下着を１枚布状に載置した状態を示す平面図である。
【図２】同実施形態に係る着物用下着を着付けた状態を示す正面図である。
【図３】本考案の実施形態に係る着物用下着を製造する工程図である。
【図４】同実施形態にかかる着物用下着の製造に使用される衿ぐり用の型紙である。
【図５】同実施形態に係る着物用下着を製造する工程を説明するための図である。
【図６】従来の半襦袢を示す正面図である。
【考案を実施するための形態】
【００１８】
以下、本考案を実施するための形態を、図面を参照して詳細に説明する。
図１は、本考案の実施形態に係る着物用下着１０を１枚布状に平面上に載置した状態を示す平面図である。本実施形態に係る着物用下着１０は一般的に半襦袢と呼ばれているものであり、図１に示すように、１枚布状の見頃２０と、衿３０と、袖付け部４０と、胸紐５０と、を備えている。これらは綿素材で形成されている。
【００１９】
身頃２０は、着用時に、着用者の身体の背面側を覆う後身頃２４と、互いに重ね合わされて着用者の身体の前面側を覆う左の前身頃２２ａ及び右の前身頃２２ｂと、を有している。後身頃２４は、左の後身頃２４ａと右の後身頃２４ｂとで構成され、左の後身頃２４ａと右の後身頃２４ｂとは背側の縁部で縫着されている。
後身頃２４と左右の前身頃２２ａ，２２ｂとは肩山線２８でのみ連続しており、後身頃２４の脇側と左右の前身頃２２ａ，２２ｂの脇側とは未縫着であって分離している。このため、図１に示すように身頃２０を一枚布状に広げることができる。
左の前身頃２２ａの脇側の縁部２２１と後身頃２４の左の脇側の縁部２４１とは、肩山線２８との交点Ｐ１で連続し、略１直線に延びている。また、右の前身頃２２ｂの脇側の縁部２２２と後身頃２４の左の脇側の縁部２４２とは、肩山線２８との交点Ｐ２で連続し、略１直線平行に伸びている。
【００２０】
このように、脇縫いを省略して脇側を分離させたことで、着用時に左右の前身頃２２ａ，２２ｂの脇側と後身頃２４の両脇側との重なり具合を容易に調整できるため、身幅や、胸周り・胴回りの長さを着用者に容易に合わせることができる。したがって、着用者がどのような体型（例えば、洋服サイズで５号〜１３号の幅広い体型）であっても、着用者の体型に容易に合わせることができ、着付けを綺麗に行うことができる。また、左の脇側の縁部２２１，２４１と、右の脇側の縁部２２２，２４２とが直線状であって簡単な構造となっているため、着物用下着１０の製造時において布の印付けや裁断が容易であり、簡単に製造できる。また、着物用下着１０の収納や着用も簡便に行うことができる。
【００２１】
身頃２０の縁部のうちＰ１、Ｐ２付近の左右の腕対応位置には、別途用意された袖（不図示）を連結するための袖付け部４０が、身頃２０の左右から突出するように縫着されている。
袖付け部４０は、身頃２０側を底辺とした台形形状を有しており、当該底辺が身頃２０の縁部に縫着されている。
袖付け部４０の外面側から身頃２０の外面側にかけて、係着面にループ状の突起を有する雌型の面ファスナー４２が取り付けられている。本実施形態では、矩形状の４つの面ファスナー４２が取り付けられている。
一方、袖の付け根部の内面側であって面ファスナー４２に対向する位置には、係着面にフック状の突起を有する雄型の面ファスナーが取り付けられている。袖付け部４０の面ファスナー４２に対して当該袖の面ファスナーを係着させることで、袖付け部４０に袖を着脱可能に取り付けることができる。
【００２２】
このような構成とすることで、形状、模様、色彩等の異なる複数の袖を用意しておけば、好みや状況に合わせて着物用下着１０に袖を付け替えることができる。また、袖を外して、着物用下着１０のみを洗濯することができる。
また、袖付け部４０を台形形状としたことにより、面ファスナー４２を取り付ける面積を確保しつつ、着物（長着）着用時に着物の袂から袖付け部４０が見えないようにすることができる。
【００２３】
なお、袖付け部４０に取り付ける面ファスナー４２の数は４つに限定されることはなく、３つでも５つでもよいし、台形形状の底辺に沿って細長い面ファスナーを配置してもよい。また、雄型の面ファスナーを袖付け部４０側に取り付け、雌型の面ファスナーを袖側に取り付けてもよい。また、袖付け部４０と袖とを係着させる留め具としては、面ファスナーに限定されることはなく、ホック等の留め具であってもよい。
【００２４】
後身頃２４と左の前身頃２２ａと右の前身頃２２ｂとの縁部で囲まれた部分には衿３０が取り付けられている。衿３０と身頃２０との境界線と、肩山線２８と、の交点間の長さＬは、後身頃２４と衿３０との境界線の中点から肩山線２８までの距離ｌの略２倍の長さである。このような寸法で衿ぐりの曲線を形成することにより、着用時に衣紋をきれいに抜くことができるとともに、衿元の崩れを押えることができる。また、衿付け周囲の体への当たりをなくすことができる。
【００２５】
左右の前身頃２２ａ，２２ｂそれぞれの内面側の胸部対応位置には、胸部補整部材を挿入するための胸部補整材挿入部６２，６２が設けられている。また、後身頃２４の内面側の背部対応位置には、背部補整部材を挿入するための背部補整材挿入部６４が設けられている。
胸部補整材挿入部６２，６２と背部補整材挿入部６４とは、左右の前身頃２２ａ，２２ｂの内面側から後身頃２４の内面側にかけて配置された、１枚の布６０で形成されている。当該布６０は、左右の前身頃２２ａ，２２ｂ側における肩山線２８と平行な縁部６２１，６２２それぞれが、左右の前身頃２２ａ，２２ｂ側に縫着され、後身頃２４側における肩山線２８と平行な縁部６４１が後身頃２４側に縫着されている。また、当該布６０の縁部のうち肩山線２８と交差する箇所も身頃２０に縫着されている。
【００２６】
このように形成されている胸部補整材挿入部６２，６２に、胸部補整材として、例えばガーゼ、クッション材等を挿入することで、着用者の胸付近を和装向きの体型に補整することが出来る。同様に、背部補整材挿入部６４に背部補整材を挿入することで、着用者の背付近を和装向きの体型に補整することが出来る。また、胸部補整材挿入部６２，６２、背部補整材挿入部６４は、汗取りの役割も果たす。
なお、この胸部補整材挿入部６２，６２、背部補整材挿入部６４に補整材を挿入した状態で、当該補整材を身頃２０や胸部補整材挿入部６２，６２、背部補整材挿入部６４に縫い付けて固定してもよい。
【００２７】
また後身頃２４の中央部付近には細長い胸紐５０の中央付近が縫着されている。着用者は、着用時に左右の前身頃２２ａ，２２ｂを前側で互いに重ね合わせ、自己の体型に合わせて左右の前身頃２２ａ，２２ｂと、後身頃２４との脇の重なりを調整してから、この胸紐５０を胴体の周りに１、２回ほど巻きつけて胴体に固定することによって、図２に示すように着物用下着１０を体にフィットさせて着用することができる。
【００２８】
次に、上記構成の着物用下着１０を製造する方法について、図３に示す工程図及び図１、４、５を参照しつつ説明する。
まず、図４に示す衿ぐり用の型紙７０を作成する（工程１）。具体的には、楕円を４等分したような図４に示す形状に厚紙を切り取り、当該厚紙上の衿肩明位置７１と、肩山線位置７２と、背縫位置７３と、を決定する。本実施形態では、衿肩明位置７１から肩山線位置７２までの距離Ｂ（繰越の長さ）と、衿肩明位置７１から背縫位置７３に沿った肩山線位置７２とは反対側方向の縁部までの長さＡ（付けこみの長さ）と、背縫位置７３から肩山線位置７２に沿った曲線側短点７５までの長さＣとの比率は、５：３：８である。
次に、左側の身頃（左の前身頃２２ａ及び左の後身頃２４ａ）２０ａ用の矩形の布を用意し、図５に示すように、型紙７０を当該身頃２０ａ用の布の上に置いて、当該身頃２０ａの肩山線２８の位置と型紙７０の肩山線位置７２とを合わせる。そして、型紙７０上の衿肩明位置７１、曲線状の衿ぐり７４、短点７５等の位置に対応する当該身頃２０ａ上の位置を決定し、身頃２０ａに所定の合印を付ける（工程２）。
【００２９】
次に、予め決めておいた身幅の長さＤ、身丈の長さＥにしたがって、左の前身頃２２ａの下部に印Ｐ３、Ｐ４を付けておく。そして、型紙７０で決定された端点７５と印Ｐ３とを結び、短点７５から印Ｐ３に向かって伸びる直線を、衿付け線７６の位置とする（工程３）。右側の身頃についても、左側の身頃２０ａと同様に衿ぐりと衿付けの位置を決定する。
次に、左の後身頃２４ａの背側縁部２４５と右の後身頃２４ｂの背側縁部（不図示）とを縫着する（工程４；背縫い工程）。
【００３０】
次に、身頃２０よりも大きさが小さい矩形の１枚の布６０を用意し、中央部の衿肩明対応位置と、当該衿肩明対応位置の中央から垂直方向に端部まで伸びる直線と、を切断する。
当該布６０の衿肩明の位置を身頃２０の衿肩明の位置に合わせるとともに、当該布６０の切断していない側を後身頃２４側の内側面に配置し、当該布６０の切断された側を前身頃２２ａ、２２ｂの内側面に配置する。そして、当該布６０の縁部のうち、肩山線２８に平行な縁部６２１，６２２，６４１と、当該布６０の縁部のうち肩山線２８と直交する部分とを身頃２０に縫着して、図１に示す胸部補整材挿入部６２と背部補整材挿入部６４と作成する（工程５）。
【００３１】
次に、衿３０を作成し、身頃２０の衿肩明位置は裁断した上で、当該衿３０を衿ぐり７４と衿付け線７６に沿って縫着する（工程６）。次に、半衿を衿３０に取り付ける。
次に、胸紐５０を後身頃２４の中央部に縫着する（工程７）。
次に、台形形状の袖付け部４０を作成し、袖付け部４０を身頃２０の左右の脇側の縁部のうち中央付近の腕対応位置に縫着する（工程８）。
【００３２】
このような製造方法によれば、衿ぐり用の型紙７０を用いて、簡単に着物用下着１０を製造することができる。また、１枚の布で簡単に胸部補整材挿入部６２，６２及び背部補整材挿入部６４を作成することができる。
なお、上述した工程の順序は一例であり、適宜順序を入れ替えることができる。
【００３３】
以上説明したように、着物用下着１０の後身頃２４と左右の前身頃２２ａ，２２ｂそれぞれとは肩山線２８でのみ連続しており、後身頃２４の脇側と左右の前身頃２２ａ、２２ｂの脇側とは互いに未縫着であって分離しているため、着用時に左右の前身頃２２ａ，２２aの脇側と後身頃２４の脇側との重なり具合を容易に調整して、着物用下着１０の身幅や、胸周り・胴回りの長さ等を着用者に容易に合わせることできる。
【００３４】
なお、上述した実施形態では、袖付け部４０を有する着物用下着１０の実施形態について説明したが、袖付け部４０のない着物用下着であってもよい。この場合には、仕立て衿（うそつき衿）として使用することができ、衿のみの仕立て衿よりも着用者の首や鎖骨に負担がかからないし、仕立て衿専用の肌襦袢を着用する必要がなくなる。
また、上述した実施形態では、着物用下着１０として半襦袢について説明したが、本考案として適用することのできる着物用下着としては半襦袢に限定されることはない。本考案の着物用下着は、着物の下に着るものであって、あらゆる衿無しの肌着の上に着用できるものである。
【符号の説明】
【００３５】
１０    着物用下着
２０    身頃
２０ａ  左側の身頃
２２ａ  左の前身頃  
２２ｂ  右の前身頃
２２１，２２２  脇側の縁部
２４    後身頃
２４ａ  左の後身頃
２４ｂ  右の後身頃
２４１，２４２  脇側の縁部
２４５  背側縁部
２８    肩山線
３０    衿
４０    袖付け部
４２    面ファスナー
５０    胸紐
６０    布
６２    胸部補整材挿入部
６２１，６２２  縁部
６４    背部補整材挿入部
６４１  縁部
７０    型紙
７１    衿肩明位置
７２    肩山線位置
７３    背縫位置
７４    衿ぐり
７５    短点
７６    衿付け線    
【図１】
0003191443.tif 000003
【図２】
0003191443.tif 000004
【図３】
0003191443.tif 000005
【図４】
0003191443.tif 000006
【図５】
0003191443.tif 000007
【図６】
0003191443.tif 000008